(57)【要約】【課題】  花瓶に生けた花の色に合わせて、花瓶と周囲の色彩を変化させ利用者を楽しませる「インタラクティブな生け花」を実現する、花の美しさを際立たせる装飾用造形装置である、花瓶とタイルシステムを提供する。【解決手段】  制御に従って信号を出力する出力手段である発光素子を備える花瓶であって、花瓶に生けられた花を照明する発光素子と、花色を発光素子からの光の反射で取得するカラーセンサと、カラーセンサで取得されたデータに応じて花色を判定する判定手段と、判定手段における判定結果に応じて前記出力手段から出力する信号を生成する制御処理手段とを備える。【選択図】図１
2013248211.tif 000002
【特許請求の範囲】
【請求項１】
制御に従って信号を出力する出力手段を備える花瓶であって、前記花瓶に生けられた花を照明する発光素子と、花瓶に生けられた花の色を発光素子からの光の反射で取得するカラーセンサと、前記カラーセンサで取得されたデータに応じて花の色を判定する判定手段と、前記判定手段における判定結果に応じて前記出力手段から出力する信号を生成する制御処理手段とを備えることを特徴とする花瓶。
【請求項２】
前記出力手段は、複数の光を発光する発光素子であって、前記制御処理手段は、前記判定手段の判定手段に応じて前記発光素子が発光する光の色、光度又は点滅の速度の少なくともいずれかを変化させることを特徴とする請求項１に記載の花瓶。
【請求項３】
請求項第１項記載の花瓶とタイルシステムからなる装飾用造形装置であって、前記タイルシステムは、前記花瓶による信号の出力を制御するコントロール装置と、前記カラーセンサで取得された色を前記コントロール装置に送信するとともに、前記コントロール装置から送信された信号を受信する通信手段と、前記信号に応じて別の信号を生成する制御処理手段と、前記別の信号に応じて発光する発光素子を備えるタイルとを備えることを特徴とする装飾用造形装置。
【請求項４】
請求項第２項記載の花瓶とタイルシステムからなる装飾用造形装置であって、前記タイルシステムは、前記花瓶による信号の出力を制御するコントロール装置と、前記カラーセンサで取得された色を前記コントロール装置に送信するとともに、前記コントロール装置から送信された信号を受信する通信手段と、前記信号に応じて別の信号を生成する制御処理手段と、前記別の信号に応じて発光する発光素子を備えるタイルとを備え、前記花瓶は、前記コントロール装置から送信された信号を受信する通信手段とを備えることを特徴とする装飾用造形装置。
【請求項５】
前記タイルシステムは、前記コントロール装置の制御に従って、タイルシステムを構成する少なくともひとつのタイルに組み込まれた複数の発光素子が発光する光の色、光度又は点滅の速度の少なくともいずれかを変化させるとともに、前記タイルが隣り合うタイルに次なる信号を出力し、その後、隣り合うタイル同士が信号を送受信し、タイルに組み込まれた前記制御処理手段が、隣り合うタイルから得た前記信号に応じてタイルに組み込まれた発光素子の光の色、光度又は点滅の速度の少なくともいずれかを変化させることを特徴とする請求項第３項又は請求項第４項に記載の装飾用造形装置。
【発明の詳細な説明】
【技術分野】
【０００１】
本発明は、生け花の花の色に合わせて花を美しく演出し信号を出力する花瓶と、この花瓶と連動するタイルシステムで構成される装飾用造形装置に関する。
本明細書において、タイルシステムとは、タイルと発光素子からなるライトウォール（壁面に飾る装飾体）を含む装置であって、花瓶と連動し空間を演出する装置である。
また、本明細書における装飾用造形装置とは、装飾の目的で作った造形に、電気、電子、情報、通信などの技術を組み込んで、造形自体を動かしたり、造形の見た目を変化させたり、他の造形あるいは造形の変化とのインタラクションをもたせることにより、装飾される品物と装飾用造形の美的効果を高める機能をもった装置をいう。
建物、家具を飾る従来の造形は、通常は動かず、変化しない。それに対して、装飾用造形装置では、何かを飾る目的をもつ形に、電気、電子、情報、通信などの技術を組み込んで、形を動かし、あるいは形の色彩、質感、光、陰影などの見た目を変化させ、また、他の造形の変化とのインタラクションをもたせることによって、装飾される物と装飾の外観上の美的性質を、時間軸上でダイナミックに変化させることができる。
【背景技術】
【０００２】
花瓶は、従来から家庭や商業施設において、生け花を楽しむための身近な装飾品であったが、近年は、ライトを組み込んだ花瓶が開発されている。ライトを組み込むことで、花瓶を照明し、周囲の物体を照明することができる。
【０００３】
当該技術としては、花瓶に内装されたＬＥＤを発光させ、同花瓶に内装された反射板によって反射させることにより空間を演出する装飾体がある（例えば、特許文献１参照。）。
【０００４】
また、電気スタンドが造花や生花を照らすことによって，明かりと花を一体的に調和させたフラワースタンド（例えば、特許文献２参照。）や、断熱材を利用してフラワーアレンジメントとスタンドを合体させて花をライトアップするフラワーライトアレンジメント（例えば、特許文献３参照。）がある。
【０００５】
さらに、人の居住空間の状態を測定し、その結果からランプの点灯状態を制御する照明（例えば、特許文献４参照。）や、周囲の光や音の量を検出センサで測定し、この測定値を電圧値又は電流値に変換して、各発光体へ供給して、発光体の発光量を変化させることにより周囲の環境に合わせて、装飾ランプの発光量、発光色を変化させる照明装置（例えば、特許文献５参照。）がある。
【先行技術文献】
【特許文献】
【０００６】
【特許文献１】特開２００３−３９８９８号公報
【特許文献２】特開平１１−６６９１５号公報
【特許文献３】特開２００３−２９０００９号公報
【特許文献４】特開平０４−１９０５９３号公報
【特許文献５】特開平０３−２５２０９１号公報
【発明の概要】
【発明が解決しようとする課題】
【０００７】
しかしながら、特許文献１に記載の方法では、花瓶の内部に光を伴うものの花色を検出して花瓶の表面色を変えることはできず、特許文献２、３に記載の方法は、花をライトアップするだけであり、花色を検出して花瓶の表面色を変えることはできず、その時々で季節感ある花を生けても、花瓶が花色に応じて変化することはないため、生けられた花特有の美しさをさらに際立たせて、花色を生かして花が飾られた空間全体の演出効果を得ることができなかった。
また、特許文献４に記載の方法では、周囲の状況を測定して室内照明の色相を変化させるものの、ランプの照明器具にすぎず、花瓶に花を生けたときに確実に花色を検出する機能は備わっておらず、花の色を際立たせる計算を行うことによって花瓶に生けた花との相互作用によって花が飾られた空間を演出するものではなかった。
さらに、特許文献５に記載の方法では、周囲の環境に合わせてランプの発光色、発光量を変化させるものの、照明装置としてのランプの形状になっており、水を入れた器の中に花を生けたときに、花に光が当たって花色の検出がなされるように適切な位置および角度で花用照明とセンサとを組み込むといった、花瓶の形状を活用したものにはなっておらず、また、花を生けたとき色の検出がなされる独特の形状をした花瓶と、花の周囲を装飾するためのタイルの色彩が、生けられた花の色に合わせて変化するものにはなっておらず、花の色を際立たせる計算を行うことによって花瓶に生けた花との相互作用によって花が飾られた空間を演出するものではなかった。
【０００８】
本発明の目的は、空間演出の創造まで含めた、新しい「インタラクティブな生け花」の手法を実現し、生け花に対するアーティストの臨機応変な工夫を、ダイナミックに空間演出に反映し、花の美しさをさらに際立たせて空間全体の演出効果を得られる装飾用造形装置である、花瓶とタイルシステムを提供することにある。
【課題を解決するための手段】
【０００９】
（１）そして、本発明は、上記目的を達成するために、制御に従って信号を出力する出力手段を備える花瓶であって、花瓶に生けられた花を照明する発光素子と、花瓶に生けられた花の色を発光素子からの光の反射で取得するカラーセンサと、前記カラーセンサで取得されたデータに応じて花の色を判定する判定手段と、前記判定手段における判定結果に応じて前記出力手段から出力する信号を生成する制御処理手段とを備えたものである。
【００１０】
（２）また、第２の課題解決手段は、（１）の花瓶において、前記出力手段は、複数の光を発光する発光素子であって、前記制御処理手段は、前記判定手段の判定手段に応じて前記発光素子が発光する光の色、光度又は点滅の速度の少なくともいずれかを変化させることを特徴とするものである。
【００１１】
（３）さらに、第３、第４の課題解決手段は、（１）又は（２）の花瓶と、タイルシステムからなる装飾用造形装置であって、前記タイルシステムは、前記花瓶による信号の出力を制御するコントロール装置と、前記カラーセンサで取得された色を前記コントロール装置に送信するとともに、前記コントロール装置から送信された信号を受信する通信手段と、前記信号に応じて別の信号を生成する制御処理手段と、前記別の信号に応じて発光する発光素子を備えるタイルとを備えることを特徴とするものである。
【００１２】
（４）また、第５の課題解決手段は、（３）の装飾用造形装置において、前記コントロール装置の制御に従って、タイルシステムを構成する少なくともひとつのタイルに組み込まれた複数の発光素子が発光する光の色、光度又は点滅の速度の少なくともいずれかを変化させるとともに、前記タイルが隣り合うタイルに次なる信号を出力し、その後、隣り合うタイル同士が信号を送受信し、タイルに組み込まれた前記制御処理手段が、隣り合うタイルから得た前記信号に応じて、タイルに組み込まれた発光素子の光の色、光度又は点滅の速度の少なくともいずれかを変化させることを特徴とするものである。
【００１３】
上記第１の課題解決手段による作用は、次のとおりである。
すなわち、発光素子により、花瓶に生けられた花を照明し、カラーセンサにより発光素子からの光の反射で花の色のデータを取得し、制御装置により、データに応じて花の色を判定して出力信号を生成し、信号により花瓶に組み込まれた出力装置の出力を行うことによって、生け花の花の色に合わせて、花瓶に組み込まれた出力装置の出力を行って生け花を美しく演出し、生け花に対するアーティストの臨機応変な工夫を生かした空間全体の演出効果を得ることができる。
【００１４】
上記第２の課題解決手段による作用は、次のとおりである。
すなわち、発光素子により、花瓶に生けられた花を照明し、カラーセンサにより発光素子からの光の反射で花の色のデータを取得し、制御装置により、データに応じて花の色を判定し、発光素子が発光する光の色、光度又は点滅の速度の少なくともいずれかを変化させるという信号を生成し、その信号に従って花瓶に組み込まれた発光素子を発光させることによって、生け花の花の色に合わせて生け花を美しく演出し、生け花に対するアーティストの臨機応変な工夫を生かした空間全体の演出効果を得ることができる。
【００１５】
上記第３の課題解決手段による作用は、次のとおりである。
すなわち、発光素子により、花瓶に生けられた花を照明し、カラーセンサにより発光素子からの光の反射で花の色のデータを取得し、コントロール装置により、データに応じて花の色を判定して出力信号を生成し、信号により花瓶に組み込まれた出力装置の出力を行う。それとともに、カラーセンサで取得された色をコントロール装置から送信し、送信された信号を受信して、受信した信号に応じて生成した別の信号に応じて、タイルに組み込まれた複数の発光素子を発光させる。
これにより、生け花の花の色に合わせて花瓶、タイルが連動して生け花を美しく演出し、生け花に対するアーティストの臨機応変な工夫を、ダイナミックに空間演出に反映し、花の美しさをさらに際立たせて空間全体の演出効果を得られる装飾用造形装置である、花瓶とタイルシステムを提供することができる。
【００１６】
上記第４の課題解決手段による作用は、次のとおりである。
すなわち、発光素子により、花瓶に生けられた花を照明し、カラーセンサにより発光素子からの光の反射で花の色のデータを取得し、コントロール装置により、データに応じて花の色を判定し、発光素子が発光する光の色、光度又は点滅の速度の少なくともいずれかを変化させるという信号を生成し、その信号に従って花瓶に組み込まれた発光素子を発光させる。それとともに、カラーセンサで取得された色をコントロール装置から送信し、送信された信号を受信して、受信した信号に応じて生成した別の信号に応じて、タイルに組み込まれた複数の発光素子を発光させる。
これにより、生け花の花の色に合わせて、花瓶とタイルシステムが連動して生け花を美しく演出し、生け花に対するアーティストの臨機応変な工夫をダイナミックに空間演出に反映し、花の美しさをさらに際立たせて空間全体の演出効果を得られる装飾用造形装置である、花瓶とタイルシステムを提供することができる。
【００１７】
上記第５の課題解決手段による作用は、次のとおりである。
すなわち、発光素子により、花瓶に生けられた花を照明し、カラーセンサにより発光素子からの光の反射で花の色のデータを取得し、コントロール装置により、データに応じて花の色を判定し、発光素子が発光する光の色、光度又は点滅の速度の少なくともいずれかを変化させるという信号を生成し、その信号に従って花瓶に組み込まれた発光素子を発光させる。それとともに、カラーセンサで取得された色をコントロール装置から送信し、送信された信号を受信して、受信した信号に応じて生成した別の信号に応じて、コントロール装置の制御に従って、タイルシステムを構成する少なくともひとつのタイルに組み込まれた複数の発光素子が発光する光の色、光度又は点滅の速度の少なくともいずれかを変化させるとともに、隣り合うタイルに次なる信号を出力し、その後、隣り合うタイル同士が信号を送受信し、タイルに組み込まれた制御処理手段が、隣り合うタイルから得た信号に応じてタイルに組み込まれた発光素子の光の色、光度又は点滅の速度の少なくともいずれかを変化させる。
これにより、生け花の花の色に合わせて花瓶、タイルシステムが連動して生け花を美しく演出し、生け花に対するアーティストの臨機応変な工夫をダイナミックに空間演出に反映し、花の美しさをさらに際立たせて空間全体の演出効果を得られる装飾用造形装置である、花瓶とタイルシステムを提供することができる。
【発明の効果】
【００１８】
本発明によれば、花瓶に生けた花を発光素子で照明することによって花色の検出を確実に行えると同時に、花自体を照明できる。また、花の照明用の発光素子とは別に組み込まれた、立体造形である花瓶の表面を照明する発光素子が発光することにより、花瓶自体の表面の色彩を変化する花瓶を提供することができる。このように、花と花瓶を照明する発光素子からの光が周囲の空間も照らすため、暗い場所に置いたときに周囲に光の演出を施すことができる花瓶を提供することができる。
【００１９】
また、本発明によれば、空間演出の創造まで含めた、新しい「インタラクティブな生け花」の手法を実現し、生け花に対するアーティストの臨機応変な工夫を、ダイナミックに空間演出に反映し、花の美しさをさらに際立たせて空間全体の演出効果を得られる装飾用造形装置である、花瓶とタイルシステムを提供することができる。
【００２０】
さらに、花瓶が発光した場合は、利用者を楽しませることができるが、生けられた花の色彩の変化に応じて、花瓶や花瓶の使用環境における光や音の信号の出力方法を変化させることができれば、利用者の満足度はさらに向上すると考えられる。
【００２１】
本発明は、生け花の色彩の変化に応じて、花瓶又は花瓶の使用環境における光や音等の出力信号や出力方法を変化して利用者を楽しませる花瓶及びこの花瓶を利用した装飾用造形装置を提供することができる。
【００２２】
本発明によれば、生けられた花の色彩に応じて、花瓶や花瓶の使用環境における光や音などの出力信号や出力方法を変化させるので、花瓶を用いて生け花を行う人と、生け花を鑑賞する人の満足度を向上することができる。
【図面の簡単な説明】
【００２３】
【図１】本発明に係る第１ないし第５の実施形態に係る花瓶の概略図である。
【図２】本発明に係る第３ないし第５の実施形態に係る花瓶とタイルシステムからなる装飾用造形装置の概略図である。
【図３】図１に示した花瓶内部の基板について説明する図である。
【図４】図２に示した花瓶とタイルシステムからなる装飾用造形装置の基板について説明する図である。
【図５】図１で示した花瓶で実行される処理と、図２で示した花瓶とタイルシステムからなる装飾用造形装置のうち、花瓶で実行される処理を表すフローチャートである。
【図６】図２で示した花瓶とタイルシステムからなる装飾用造形装置のうち、タイルシステムで実行される処理を表すフローチャートである。
【図７】本発明に係る第３ないし第５の実施形態を示す図である。
【図８】図７で示した、本発明に係る実施形態から数秒経過後の実施形態を示す図である。
【発明を実施するための形態】
【００２４】
以下に、本発明の実施形態を図面に基づいて詳細に説明する。
【００２５】
本発明の第１ないし第５の実施形態に係る花瓶は、図１に示すように、花瓶１、花瓶１の上部に取り付けた発光素子である白色ＬＥＤ２、花瓶の下部に取り付けた出力装置であるフルカラーＬＥＤ３、花瓶１の上部に設置し花瓶１に生けた花の色のデータを取得するカラーセンサ４、取得したデータに応じて花の色を判定して出力信号を生成し、信号により花瓶１に組み込まれた出力装置の出力を行う制御装置（図示せず）からなる。
花瓶１の上部には、花瓶１に生けた花の上に被さるようにカバーがあり、そのカバーの下部に白色ＬＥＤ２、カラーセンサ４を取り付けてあるため、白色ＬＥＤ２、カラーセンサ４は、花瓶１に生けた花の直上に設置され、ユーザーや観客からは見えないようになっている。また、花瓶１の下部の中央部は凹んでおり、中央部のくぼみの中にフルカラーＬＥＤ３を取り付けてあるため、フルカラーＬＥＤ３も、ユーザーや観客からは見えないようになっている。
花瓶１の内部には、図３に示すように、制御基板が設置されている。
【００２６】
本発明の第３ないし第５の実施形態に係る装飾用造形装置は、図２に示すように、図１で示した花瓶１と、取得したデータに応じて花の色を判定して出力信号を生成し、信号により花瓶１に組み込まれた出力装置の出力を行うとともに、タイルシステムに備えた出力装置の出力を行う制御装置であるコントロール装置５、ライトウォール６からなるタイルシステムから構成される。ライトウォール６は、タイル７にフルカラーＬＥＤ８（図示せず）が組み込まれたものである。
また、花瓶１の内部とタイルには、図４に示すように、制御基板が設置されている。
【００２７】
本発明の第１の実施形態に係る花瓶の動作方法は、白色ＬＥＤ２を点灯して花瓶１に生けた花を照明し、カラーセンサ４により、白色ＬＥＤ２からの光の反射で花瓶１に生けた花の色のデータを取得し、制御装置によって、取得したデータに応じて花の色を判定して出力信号を生成し、信号により花瓶１に組み込まれた出力装置の出力を行うものである。
これにより、生け花の花の色に合わせて、花瓶１に組み込まれた出力装置の出力を行って、生け花を美しく演出し、生け花に対するアーティストの臨機応変な工夫を生かした空間全体の演出効果を得ることができる。
【００２８】
本発明の第２の実施形態に係る花瓶の動作方法は、白色ＬＥＤ２を点灯して花瓶１に生けた花を照明し、カラーセンサ４により、白色ＬＥＤ２からの光の反射で花瓶１に生けた花の色のデータを取得し、制御装置によって、フルカラーＬＥＤ３が発光する光の色、光度又は点滅の速度の少なくともいずれかを変化させるという信号を生成し、その信号に従って花瓶１に組み込まれたフルカラーＬＥＤ３を発光させるものである。
これにより、生け花の花の色に合わせて、花瓶に組み込まれたフルカラーＬＥＤ３の出力を行って生け花を美しく演出し、生け花に対するアーティストの臨機応変な工夫を生かした空間全体の演出効果を得ることができる。
【００２９】
本発明の第３の実施形態に係る花瓶とタイルシステムからなる装飾用造形装置の動作方法は、白色ＬＥＤ２を点灯して花瓶１に生けた花を照明し、カラーセンサ４により、白色ＬＥＤ２からの光の反射で花瓶１に生けた花の色のデータを取得し、コントロール装置５によって、取得したデータに応じて花の色を判定して出力信号を生成し、信号により花瓶１に組み込まれた出力装置の出力を行うことによって、生け花の花の色に合わせて、花瓶に組み込まれた出力装置の出力を行うとともに、カラーセンサ４で取得された色をコントロール５から送信し、送信された信号を受信して、受信した信号に応じて生成した別の信号に応じて、タイル７に組み込まれた複数のフルカラーＬＥＤ８を発光させるものである。
これにより、生け花の花の色に合わせて花瓶１、タイルシステムが連動して生け花を美しく演出し、生け花に対するアーティストの臨機応変な工夫を、ダイナミックに空間演出に反映し、花の美しさをさらに際立たせて空間全体の演出効果を得ることができる。
【００３０】
本発明の第４の実施形態に係る花瓶とタイルシステムからなる装飾用造形装置の動作方法は、白色ＬＥＤ２を点灯して花瓶１に生けた花を照明し、カラーセンサ４により、白色ＬＥＤ２からの光の反射で花瓶１に生けた花の色のデータを取得し、コントロール装置５によって、フルカラーＬＥＤ３が発光する光の色、光度又は点滅の速度の少なくともいずれかを変化させるという信号を生成し、その信号に従って花瓶１に組み込まれたフルカラーＬＥＤ３を発光させるとともに、カラーセンサ４で取得された色をコントロール装置５から送信し、送信された信号を受信して、受信した信号に応じて生成した別の信号に応じて、タイル７に組み込まれた複数のフルカラーＬＥＤ８を発光させるものである。
これにより、生け花の花の色に合わせて花瓶１、タイルシステムが連動して生け花を美しく演出し、生け花に対するアーティストの臨機応変な工夫を、ダイナミックに空間演出に反映し、花の美しさをさらに際立たせて空間全体の演出効果を得ることができる。
【００３１】
本発明の第５の実施形態に係る花瓶とタイルシステムからなる装飾用造形装置の動作方法は、白色ＬＥＤ２を点灯して花瓶１に生けた花を照明し、カラーセンサ４により、白色ＬＥＤ２からの光の反射で花瓶１に生けた花の色のデータを取得し、コントロール装置５によって、フルカラーＬＥＤ３が発光する光の色、光度又は点滅の速度の少なくともいずれかを変化させるという信号を生成し、その信号に従って花瓶１に組み込まれたフルカラーＬＥＤ３を発光させるとともに、カラーセンサ４で取得された色をコントロール装置５から送信し、送信された信号を受信して、受信した信号に応じて生成した別の信号に応じて、コントロール装置５の制御に従って、タイルシステムを構成する少なくともひとつのタイル７に組み込まれた複数のフルカラーＬＥＤ８が発光する光の色、光度又は点滅の速度の少なくともいずれかを変化させるとともに、その後、隣り合うタイル７同士が信号を送受信し、隣り合うタイル７から得た信号に応じて、コントロール装置５の制御に従って、タイル７に組み込まれたフルカラーＬＥＤ８の光の色、光度又は点滅の速度の少なくともいずれかを変化させるものである。
これにより、生け花の花の色に合わせて花瓶１、タイルシステムが連動して生け花を美しく演出し、生け花に対するアーティストの臨機応変な工夫をダイナミックに空間演出に反映し、花の美しさをさらに際立たせて空間全体の演出効果を得ることができる。
【００３２】
本発明の第２、第４、第５の実施形態にかかる花瓶１の色の制御は、図５に示すように、カラーセンサ４によりＲＧＢ（赤・緑・青）データを取得（６０１）し、取得値を色相空間に着目して、３値（Ｘ，Ｙ，Ｚ）から色相環上の１点に対応する２値（ｘ，ｙ）に変換（Ｘ軸、Ｙ軸、Ｚ軸の基準となる点を結んだ単位面とベクトルの交点を求めて、これをＸＹ平面上に投影する）してＬＥＤで出力する色を決定（６０２）し、フルカラーＬＥＤ３を、ＰＷＭ（パルス幅変調）制御によって高速で点灯のオンとオフの時間を制御することにより、まず３秒間、取得した色に点灯（６０３）させてから、１０秒間、取得した色の補色に点灯（６０４）させる。たとえば、オレンジ色の花色に対して、青色や青色の類似色にフルカラーＬＥＤ３を点灯させる。
さらに、静的制御により、ＬＥＤの補色状態を約３０秒維持（６０５）させた後、ＰＷＭ制御によって１０秒間白色点灯（６０６）させる。その後、再度カラーセンサ４によりＰＧＢデータ取得（６０１）を行って、６０１から６０６の動作を繰り返す。
カラーセンサ４による色の取得（検出）の頻度を増やすと、花瓶１に花を生ける動作をする間にリアルタイムに花瓶１の色の変化をつくることができる。
【００３３】
また、フルカラーＬＥＤ３を花色の補色に点灯させる代わりに、花色と同系色や類似色に点灯させてもよい。たとえば、青色の花色に対して、青色の同系色や類似色にフルカラーＬＥＤ３を点灯させてもよい。
【００３４】
さらに、花瓶１に複数取り付けたフルカラーＬＥＤ３を花色の補色に点灯させる代わりに、結婚式、葬式などの冠婚葬祭に合わせた配色に点灯させてもよい。たとえば、赤い花色に対して、紅白の縞模様、市松模様になるようにフルカラーＬＥＤ３を点灯させてもよい。
【００３５】
本発明の第５の実施形態に係るタイルシステムの制御は、図５，図６に示すように、花瓶１のカラーセンサ４からＲＧＢデータを取得（６０１）し、データを取得してから０．８秒経過後に、タイルシステムに無線送信（６０７）する。
ライトウォール６は、花瓶１または隣接タイル７から色データを受信（７０１）し、ＰＷＭ制御によって、まず３秒間、取得した色にＬＥＤ８を点灯（７０２）させてから、１０秒間、取得した色の補色に点灯（７０３）させる。たとえば、オレンジ色の花色に対して、青色や青色の類似色にフルカラーＬＥＤ８を点灯させる。
さらに、静的制御により、ＬＥＤ８の補色状態を約３０秒維持（７０４）させた後、ＰＷＭ制御によって１０秒間白色点灯（７０５）させる。その後、再度花瓶１または隣接タイル７から色データを受信（７０１）し、７０１から７０５の動作を繰り返す。
また、ライトウォール６は、花瓶１または隣接タイル７から色データを受信（７０１）し、ＰＷＭ制御によって、３秒間、取得した色にＬＥＤ８を点灯（７０２）させてから、０．５秒経過後に色データを隣接タイルに送信する（７０６）。
さらに、フルカラーＬＥＤ８を花色の補色に点灯させる代わりに、花色と同系色や類似色に点灯させてもよい。例えば、青色の花色に対して、青色の同系色や類似色にフルカラーＬＥＤ８を点灯させてもよい。
また、フルカラーＬＥＤ８を花色の補色に点灯させる代わりに、結婚式、葬式などの冠婚葬祭に合わせた配色に点灯させてもよい。たとえば、赤い花色に対して、ライトウォール６が紅白の縞模様、市松模様になるようにフルカラーＬＥＤ３を点灯させてもよい。
【００３６】
本発明の第５の実施形態に係る装飾用造形装置の使用状態は、図７、図８に示すように、花瓶１に生けた花と、花瓶１と、タイルシステムとの連動によって、生け花の花色に合わせて花瓶１の色が変化し、花色がタイルシステムのライトウォールに徐々に広がっていくことにより、生け花を美しく演出し、生け花に対するアーティストの臨機応変な工夫をダイナミックに空間演出に反映し、花の美しさをさらに際立たせて空間全体の演出効果を得ている。
【００３７】
本発明では、生け花で生けられる花の色の効果を最大限に高めるために、生け花のもっとも近くにある装飾用造形である花瓶と、生け花の近くの空間に配置できる装飾用造形であるタイル（ライトウォール）の双方をプログラムにより花色と連動させる。これにより、花を中心として、近い場所である花瓶から、花の周りのタイルへと、花の色彩による変化が伝わっていくような効果をもたせることができ、また、花の下方にある花瓶と、花から少し離れた場所にあるタイルで花を取り巻くことにより、花を中心とした装飾体が花の色を最大限にアピールするよう、色彩を変化させる機能を持たせることができる。
たとえば、花瓶とタイルの色を花色の補色に変化させることにより、花色を引き立たせ、空間を鮮やかに華やかに演出できる。
また、花瓶とタイルの色を花色と同系色や類似色に変化させることにより、色の持つ効果を最大限に引き出して空間を演出できる。
さらに、結婚式、葬式などの冠婚葬祭に合わせた配色で、花瓶とタイルの色を変化させることにより、ＴＰＯに合わせた空間演出ができる。
本発明によれば、床の間や、ホテルのロビーなどの空間や、病院の壁面など定期的に花を入れ替える場所に、生けた花の色に調和させた花瓶と壁面の装飾を提供できる。
【００３８】
以上説明したように、本発明に係る装飾用造形装置では、花瓶に生けた花を照明し、花瓶自体に組み込まれた発光素子が発光することにより、暗い場所に花瓶を置いたときに周囲の空間に光の演出を施すことができる花瓶を提供することができ、空間演出の創造まで含めた、新しい「インタラクティブな生け花」の手法を実現し、生け花に対するアーティストの臨機応変な工夫を、ダイナミックに空間演出に反映し、花の美しさをさらに際立たせて空間全体の演出効果を得ることができる。
【符号の説明】
【００３９】
１  花瓶
２  白色ＬＥＤ（発光素子）
３  フルカラーＬＥＤ（発光素子）
４  カラーセンサ
５  コントロール装置（制御装置）
６  ライトウォール
７  タイル
８  フルカラーＬＥＤ（発光素子）
【図１】
2013248211.tif 000003
【図２】
2013248211.tif 000004
【図３】
2013248211.tif 000005
【図４】
2013248211.tif 000006
【図５】
2013248211.tif 000007
【図６】
2013248211.tif 000008
【図７】
2013248211.tif 000009
【図８】
2013248211.tif 000010